(57)【要約】【課題】  本発明は、施工現場の高所で屋根を組み立てる場合においても、多数本の各合掌を隅真束に容易に接合することができるようにして、接合作業の安全性と迅速性を高めた建築用接合金具としての接合プレートの提供を目的とする。【解決手段】  上下方向にスリット１２を有する金具本体１とともに建築用接合金具として用いられる平板部材の接合プレート２であって、前記平板部材の前部下側に、前記スリットと係止する係止部２０を設けるとともに、前記平板部材の中央部から後部にかけて木部材との接合ボルトを挿入するためのボルト孔２１を穿設し、前記係止部２０を、前記スリット１２の底部と係止する凹部２２ａと、この凹部から前方に向かって拡開する傾斜部２２ｂを有する構成としてある。【選択図】  図３
2006077569.tif 000002
【特許請求の範囲】
【請求項１】
上下方向にスリットを有する金具本体とともに、建築用接合金具として用いられる平板部材の接合プレートであって、
前記平板部材の前部下側に、前記スリットと係止する係止部を設けるとともに、前記平板部材の中央部から後部にかけて木部材との接合ボルトを挿入するためのボルト孔を穿設した
ことを特徴とする接合プレート。
【請求項２】
前記係止部が、前記スリットの底部と係止する凹部と、この凹部から前方に向かって拡開する傾斜部を有することを特徴とした請求項１記載の接合プレート。
【請求項３】
前記平板部材の中央部から後部にかけての上辺及び下辺を、前記金具本体に対する前記木部材の取り付け勾配と同じ角度の傾斜を有する上部斜辺及び下部斜辺としたことを特徴とする請求項１又は２記載の接合プレート。
【請求項４】
前記木部材が、取り付け勾配の異なる二種類の木部材であって、前記上部斜辺が、前記二種類の木部材のうち一方の木部材の取り付け勾配と同じ角度の傾斜であり、前記下部斜辺が、前記二種類の木部材のうち他方の木部材の取り付け勾配と同じ角度の傾斜であることを特徴とした請求項３記載の接合プレート。
【請求項５】
前記平板部材が、前記木部材を、金具本体に対して取付け角度を異ならせて取り付けるための複数のボルト孔を有することを特徴とした請求項３又は４記載の接合プレート。
【請求項６】
前記ボルト孔は、前記平板部材の後部縦方向に穿設したボルト孔数が中央部縦方向に穿設したボルト孔数の二倍であって、この二倍のボルト孔のうち、一方のボルト孔と前記中央縦方向に穿設したボルト孔との位置関係が前記上部斜辺とほぼ平行であり、他方のボルト孔と前記中央縦方向に穿設したボルト孔との位置関係が前記下部斜辺とほぼ平行であることを特徴とした請求項５記載の接合プレート。
【発明の詳細な説明】
【技術分野】
【０００１】
本発明は、木造建築物における木部材の接合金具に関し、特に、上下方向にスリットを形成した金具本体とともに用いると好適な建築用接合金具としての接合プレートに関する。
【背景技術】
【０００２】
従来、種々の建築用接合金具に関する技術が考案，提供されている。
本発明者も、建築用接合金具開発の第一人者として、数多くの建築用接合金具を提案し、かつ、実用化している。
しかしながら、これまでの建築用接合金具の多くは、柱と梁，胴差し，土台等の軸部接合に関するものであり、屋根の軸組みに用いる接合金具としては、本発明者の特公平８−３３０４１号にかかわるものなど、数点しか散見できない。特に、寄棟屋根の軸組みに用いる接合金具は、ほとんど存在しなかった。
【特許文献１】特公平８-３３０４１号
【発明の開示】
【発明が解決しようとする課題】
【０００３】
上記のように、屋根、特に寄棟屋根については、接合金具が実用化されていないために、従来工法によって軸組みがなされていた。図１４は、洋式小屋の従来工法による寄棟屋根の小屋組みを示す一部省略斜視図である。
【０００４】
同図に示す、従来工法では、隅真束１００の上部に棟木１０１と、二本の隅合掌１０２（一本は、省略してある。），二本の平合掌１０３及び一本の妻合掌１０４とを仕口によって接合している。
そのため、それぞれの接合部となる仕口加工が複雑となって、加工作業に手数を要するとともに、一本の隅真束の同一高さの外周に少なくとも五つの仕口を加工しなければならないため、強度的にも十分ではなかった。
【０００５】
また、屋根を組むときは、隅真束１００を中央にして、複数本の合掌（二本の隅合掌１０２と三本の平・妻合掌１０３，１０４）の先端をそれぞれ接合し、かつ、棟木１０１を接合することにより行っていた。
しかも、この接合作業は、高所で足場が悪い施工現場において行う必要があるため、作業能率が低く、安全性の点でも問題があった。
【０００６】
なお、高所での複雑な加工作業と接合作業を避けるため、予め、屋根全体を組み立て接合してから建物の上に載せる方法も採用されている。
しかし、この場合には、予め屋根全体を組み立て接合するための作業スペースが施工現場に必要となるとともに、完成した屋根を建物に載せるための大型クレーンが必要になるといった問題があった。
【０００７】
本発明は、上記の問題点に鑑みなされたもので、例えば、施工現場の高所で屋根を組み立てる場合においても、多数本の各合掌を隅真束に容易に接合することができるようにして、接合作業の安全性と迅速性を高めた接合プレートの提供を目的とする。
【課題を解決するための手段】
【０００８】
上記目的を達成するため本発明の請求項１記載の建築用接合金具は、上下方向にスリットを有する金具本体とともに建築用接合金具として用いられる平板部材の接合プレートであって、前記平板部材の前部下側に、前記スリットと係止する係止部を設けるとともに、前記平板部材の中央部から後部にかけて木部材との接合ボルトを挿入するためのボルト孔を穿設した構成としてある。
【０００９】
また、本発明では、前記係止部を、前記スリットの底部と係止する凹部と、この凹部から前方に向かって拡開する傾斜部を有する構成とすることができる。
【００１０】
また、本発明では、前記平板部材の中央部から後部にかけての上辺及び下辺を、前記金具本体に対する前記木部材の取り付け勾配と同じ角度の傾斜を有する上部斜辺及び下部斜辺とすることができる。
【００１１】
また、本発明では、前記木部材が、取り付け勾配の異なる二種類の木部材であって、前記上部斜辺を、前記二種類の木部材のうち一方の木部材の取り付け勾配と同じ角度の傾斜とし、前記下部斜辺を、前記二種類の木部材のうち他方の木部材の取り付け勾配と同じ角度の傾斜とすることができる。
【００１２】
また、本発明では、前記平板部材が、前記木部材を、金具本体に対して取付け角度を異ならせて取り付けるための複数のボルト孔を有する構成としてある。
【００１３】
また、本発明は、前記ボルト孔が、前記平板部材の後部縦方向に穿設したボルト孔数が中央部縦方向に穿設したボルト孔数の二倍であって、この二倍のボルト孔のうち、一方のボルト孔と前記中央縦方向に穿設したボルト孔との位置関係が前記上部斜辺とほぼ平行であり、他方のボルト孔と前記中央縦方向に穿設したボルト孔との位置関係が前記下部斜辺とほぼ平行となるようにしてある。
【発明の効果】
【００１４】
以上説明したように、本発明の接合プレートは、複雑な仕口加工を必要とせず、木部材の仕口加工を単純化できるので、加工時間を短縮することができ、さらに、木部材の接合強度を向上させることができる。また、多数本の木部材を金具本体に接合する場合であっても、効率良く接合することができる。
また、接合プレートの共用化を図ることができるので、作業効率を高めることができるとともに、共用化により接合プレートの製造コストを低減することができる。
【発明を実施するための最良の形態】
【００１５】
以下、本発明の接合プレートの実施形態について、図面を参照して説明する。
まず、本発明に係る接合プレートとともに用いる金具本体の実施形態について説明する。
【００１６】
［金具本体の構造］
図１は、第一実施形態の金具本体の構造を説明するための概略図を示しており、（ａ）は平面図を、（ｂ）はＡ−Ａ線における断面図を示している。
同図において、金具本体１は、円筒状の筒状部材１０と、筒状部材１０の外径より大きな外径を有し、筒状部材１０の底部に取り付けられたフランジ１１とからなっている。
【００１７】
ここで、金具本体１は、筒状部材１０を周方向に八等分に分割する位置に、筒状部材１０の上端から下方に向けてスリット１２が形成してあり、あとで説明する接合プレート２ａ，２ｂを係止する構成としてある。
【００１８】
このように、スリット１２が筒状部材１０の上部に開口部１３を有することにより、接合プレート２ａ，２ｂをスリット１２に容易に挿入することができ、接合プレート２ａ，２ｂを接合する際の作業性を向上させることができる。
また、開口部１３を形成することにより、金具本体１の長手方向の寸法を小さくすることができ、金具本体１を小型・軽量化することができる。
【００１９】
また、この開口部１３の両側に、ガイド用傾斜１４を形成するとよく、このようにすると、接合プレート２ａ，２ｂをスリット１２に挿入する際に、両者の位置が多少ずれていても、接合プレート２ａ，２ｂは、ガイド用傾斜１４に案内されながらスリット１２と係止することになり、作業性をより向上させることができる。
【００２０】
なお、スリットの形成位置は、上記スリット１２の開口部に形成したものに限定するものではなく、たとえば、スリットを筒状部材１０の中間部に設けてもよい。このようにすると、押え部材５を省略しても、接合プレート２ａ，２ｂが外れるのをある程度防止することができる。
【００２１】
また、フランジ１１の中央部には、あとで説明する軸ボルト３２が貫通する軸ボルト用孔１５が穿設されており、貫通した軸ボルト３２にナットを締め付けることにより、金具本体１を主木部材の上部に容易に固定することができる。
さらにまた、フランジ１１の筒状部材１０の内側には、周方向に四等分に分割する位置に、あとで説明する厚板部材４を締結するためのボルト穴１６が穿設してある。
【００２２】
なお、金具本体１は、スリット１２が八箇所に形成されているが、この構造に限定するものではなく、接合される副木部材の数量に応じて、たとえば、副木部材が四本のときは、四箇所にスリット１２を形成した構造としてもよい。
また、金具本体１は、円筒状の筒状部材１０を用いているが、これに限定するものではなく、たとえば、多角形状としてもよく、図２に示す金具本体１ａのように、八角形筒状部材１０ａを用いた構成とすることもできる。
【００２３】
次に、本発明に係る接合プレートの実施形態について説明する。
なお、理解しやすいように、合掌及び棟木を副木部材として用いた場合について説明する。
［接合プレートの構造］
図３は、本発明に係る第一実施形態の建築用接合金具の接合プレートの構造を説明するための概略図を示しており、（ａ）は合掌用接合プレートの正面図を、（ｂ）は合掌用接合プレートの側面図を、（ｃ）は棟木用接合プレートの正面図を、（ｄ）は棟木用接合プレートの側面図を示している。
【００２４】
同図において、合掌用接合プレート２ａ，棟木用接合プレート２ｂは、鋼板などの平板部材からなり、この平板部材の前部下側には、上記金具本体１のスリット１２に係止される係止部２０が形成されている。また平板部材の中央部から後部にかけては、合掌，棟木にボルト・ナットにより固定するためのボルト孔２１が穿設してある。
ここで、係止部２０は、スリット１２としっかり係止するための凹部２２ａを形成するとともに、この凹部２２ａのボルト孔２１と反対側、すなわち、凹部２２ａと連続する前方部分には、開口部に向かって拡開する傾斜部２２ｂが形成してあり、接合プレート２ａ，２ｂをスリット１２に係止しやすい形状としてある。
【００２５】
合掌用接合プレート２ａは、その中央部から後部にかけて、隅合掌の勾配（隅勾配）と同じ角度の傾斜を有する下部斜辺２３と、平合掌及び妻合掌の勾配（平勾配）と同じ角度の傾斜を有する上部斜辺２４とを有する形状としてある。
また、合掌用接合プレート２ａは、下部斜辺２３とほぼ平行に四つのボルト孔２１と２１ａ，２１と２１ａが穿設されており、また、上部斜辺２４とほぼ平行に四つのボルト孔２１と２１ｂ，２１と２１ｂが穿設されている。なお、これらボルト孔のうち、中央側の二つのボルト孔２１，２１は共用としてある。
【００２６】
このようにすると、勾配の異なる隅合掌と平合掌（妻合掌は、平合掌と同じ勾配である。）に対して、接合プレートを共用化することができ、接合プレートの製造コストを低減することができる。また、組立て作業においても、作業性を改善することができる。
【００２７】
棟木用接合プレート２ｂは、四つのボルト孔２１が穿設された矩形状の構造としてある。
ここで、係止部２０から上面までの距離“Ｌ”は、使用する接合プレート、たとえば、合掌用接合プレート２ａ，棟木用接合プレート２ｂで一定とするとよく、このようにすると、あとで説明する押え部材をこれら上面に当接させることにより、容易に接合プレートの係止状態を維持することができる。
【００２８】
なお、図示してないが、合掌，棟木は、ボルト孔に対応する位置に貫通孔が穿設してあり、この貫通孔とボルト孔にボルトを挿入してナットを螺合することにより、接合プレートを合掌，棟木に容易に固定することができる。
また、上記接合プレートの形状及びボルト孔の位置，数量は、副木部材を合掌，棟木とした場合の一例であり、副木部材に応じて、様々な形状及びボルト孔の位置，数量を有する接合プレートを使用することができる。
【００２９】
次に、金具本体の固定手段の構造について説明する。
［固定手段の構造］
図４は、固定手段の一実施形態を説明するための概略正面図を示している。
同図において、固定手段は、軸部材３０ａ，全ねじからなる軸ボルト３２及びナット３３とで構成してある。
ここで、軸部材３０ａは、上部に雌ねじ３０ｃが加工されており、下部にピン孔３０ｂが穿設された構造としてある。
【００３０】
また、主木部材の上端には、角ほぞ４１が形成してあり、フランジ１１の下面には、角ほぞ４１に嵌合されるほぞ穴４２の形成された厚板部材４が設けてある。このようにすると、フランジ１１が主木部材に対して、角ほぞ４１とほぞ穴４２の嵌合により定まる角度で接合されるので、周方向に対する接合強度を高めることができるとともに、金具本体の回転方向へのずれを効果的に防止することができる。
【００３１】
上記構成の固定手段は、軸部材３０ａが、主木部材に埋設され、かつ、図示してないが、あとで説明するピン３１がピン孔３０ｂに挿入されることにより、主木部材に固定される。
そして、軸ボルト３２が、主木部材の上部に載置されたフランジ１１の軸ボルト用孔１５に挿入され、雌ねじ３０ｃと螺合し、さらに、ナット３３が軸ボルト３２と螺合することにより、フランジ１１は主木部材に固定される。
【００３２】
なお、上記固定手段は、本発明者が、特願平８−１１４１６１号において、提案した技術であり、上記構成に限定するものではなく、たとえば、雌ねじの代りに雄ねじを加工し、さらに、軸ボルトの代りにナットを用いる構成としてもよい。
【００３３】
上述した金具本体，接合プレート及び固定手段を具備した建築用接合金具によれば、副木部材に接合プレートを押し込む溝を設けるだけでよいので、複雑な仕口加工を行う必要がなく、この仕口加工に要していた加工時間を短縮することができ、さらに、副木部材の接合強度を高くすることができる。
【００３４】
なお、副木部材は、棟木や合掌などに用いられる木部材であり、通常、介板とこの介板を挟むように接合された二枚の規格材とで構成してある。
ここで、接合プレートの厚さを介板の厚さとほぼ同じにするとよく、このようにすると、あとで説明する介板スペースに接合プレートを押し込むことができるので、接合プレートを押し込む溝の加工時間をさらに短縮することができる。
【００３５】
次に、上述した建築用接合金具を用いた使用例について、図面を参照して説明する。
まず、図５に示すように、洋式小屋の寄棟屋根において、上部に金具本体１が固定された隅真束７０と、棟木７１，隅合掌７２，平合掌７３及び妻合掌７４とを接合する場合があり、この使用例について説明する。
【００３６】
［使用例］
図６は、本発明の実施形態に係る接合プレートを用いた建築用接合金具の使用例を説明するための要部の概略平面図を示している。
同図において、金具本体１は、図示してないが、主木部材である隅真束７０の上部に固定され、棟木用接合プレート２ｂ，合掌用接合プレート２ａは、それぞれ副木部材である棟木７１，隅合掌７２，平合掌７３及び妻合掌７４の端部の介板スペースにボルト２５，ナットにより固定されている。さらに、これら棟木用接合プレート２ｂ，合掌用接合プレート２ａが、金具本体１に係止されることにより、副木部材が主木部材に接合されている。
【００３７】
続いて、建築用接合金具の使用例の断面図を参照して説明する。
図７は、建築用接合金具の使用例を示した図６のＣ−Ｃ線における断面図を示している。
同図において、金具本体１は、固定手段３により隅真束７０に固定されており、具体的には、全ねじからなる軸ボルト３２が、隅真束７０に埋設されピン３１により固定された軸部材３０ａに、金具本体１の軸ボルト用孔１５に挿入された状態で螺合され、さらに、この軸ボルト３２にナット３３を締め付けることにより、金具本体１は、隅真束７０の上面に固定される。なお、ナット３３のゆるみ防止のために、ダブルナット締めしてある。
【００３８】
ここで、好ましくは、隅真束７０の上部に角ほぞ４１を形成し、この角ほぞ４１と嵌合するほぞ穴４２を形成した厚板部材４を金具本体１の底部側にボルト４０を用いて取り付けた構造とするとよく、このようにすると、金具本体１が主木部材に対して、ほぞ穴４２により定まる角度で接合されるので、接合強度を向上させるとともに、金具本体１の廻りを防止することができる。
【００３９】
棟木７１は、端部にボルト２５によって固定された棟木用接合プレート２ｂの係止部２２が、金具本体１のスリット１２に係止することにより、金具本体１と接合される。ただし、厳密には、接合プレート２ｂは、上方向に移動可能である。
このため、棟木用接合プレート２ｂは、隅真束７０側の先端部上面が、押え部材５と当接する構成とするとよく、このようにすると、接合プレート２ｂが金具本体１から容易に外れない（上方向に対して移動できなくなり、係止状態が維持される。）ようにすることができ、接合の信頼性を高めることができる。
【００４０】
また、押え部材５は、上面形状が、筒状部材１０の内側に嵌合する形状（金具本体の上部開口部を覆う形状の一例である。）とし、さらに、中心に軸ボルト３２が貫通する貫通孔を有する構造とするとよい。このようにすると、押え部材５，座金５０の貫通孔を軸ボルト３２に挿入し、緩まないように二個のナット５１をダブルナット締めすることにより、接合プレートの係止状態を容易に維持することができる。
【００４１】
また、棟木７１は、先端下部に、接合プレートより突き出た当接部７１ａを有し、この当接部７１ａが、金具本体１のフランジ１１上面に載置され、棟木７１の重さを支える構成とするとよく、このようにすると、スリット１２と係止部２２に作用する外力を分散することができ、この外力によって、スリット１２周辺の部材が変形するなどの不具合を防止することができる。
さらに、たとえば、当接部７１ａに切削加工を施すことにより、棟木７１の位置を容易に微調整することができる。
なお、他の副木部材、たとえば、妻合掌７４の当接部７４ａに対しても、同様の構造とすることができる。
【００４２】
また、妻合掌７４の先端には、合掌用接合プレート２ａが、ボルト孔２１，２１，２１ｂ，２１ｂに挿入されたボルト２５とナットによって、固定されている。
ここで、合掌用接合プレート２ａは、各ボルト孔２１，２１，２１ｂ，２１ｂが妻合掌７４に対して、ほぼ同じ固着力を有効に発揮することができるので、妻合掌７４に強固に固定される。
また、合掌用接合プレート２ａは、上部斜辺２４上面が妻合掌７４の上面と同一面を形成するように固定され、さらに、下部斜辺２３の下面が妻合掌７４の下面の内側に位置するので、突出する部分がなく好適に接合することができる。
【００４３】
これに対し、図８に示すように、隅合掌７２の先端には、合掌用接合プレート２ａが、ボルト孔２１，２１，２１ａ，２１ａに挿入されたボルト２５とナットによって、固定されている。
ここで、合掌用接合プレート２ａは、各ボルト孔２１，２１，２１ａ，２１ａが隅合掌７２に対して、ほぼ同じ固着力を有効に発揮することができるので、隅合掌７２に強固に固定される。
また、合掌用接合プレート２ａは、下部斜辺２３下面が隅合掌７２の下面と同一面を形成するように固定され、さらに、上部斜辺２４の上面が隅合掌７２の上面の内側に位置するので、突出する部分がなく好適に接合することができる。
【００４４】
このように、上記使用例における建築用接合金具を用いることにより、棟木７１，隅合掌７２，平合掌７３及び妻合掌７４の接合作業を容易に行うことができるので、高所で足場が悪い施工現場においても、作業能率及び安全性を改善することができる。
【００４５】
このような建築用接合金具を用いると、たとえば、次のようなユニット化した接合方法を採用することもできる。
【００４６】
（１）ユニット組立工程：工場などの作業環境のよいところで、予め、使用例における建築用接合金具や、図５に示す梁受接合金具などを用いて、屋根を形成する木部材をユニット化する工程。
ここで、ユニットの一例としては、たとえば、釣りづか７８，方づえ７９を用いて、平合掌７３にろくばり７５を接合したもの（図９参照）や、隅合掌７２に隅ろくばり７６を接合したものなどがある。
【００４７】
（２）ユニット接合工程：組み立てられたユニットを隅真束７０に接合することにより、屋根全体を組み立て接合する工程。
ここで、この建築用接合金具や梁受接合金具などの各種接合金具を用いることにより、ユニット化した隅合掌７２，平合掌７３および妻合掌７４を隅真束７０に接合する。
【００４８】
この際、ユニット化した平合掌７３や妻合掌７４は、先ず、先端部に固定された接合プレートが金具本体１に係止され、続いて、ろくばり７５が梁受接合金具によって隅真束７０に結合されることによって、隅真束７０に接合される。
また、ユニット化した隅合掌７２を組み立てるときは、予め、隅ろくばり受け火打ち７７を、火打ち金具（図示せず）や補強プレートによって、ろくばり７５に接合する。その後、ユニット化した隅合掌７２は、先ず、先端部に固定された接合プレートが金具本体１に係止され、続いて、隅ろくばり７６が隅ろくばり受け火打ち７７に結合されることによって、隅真束７０に接合される。
【００４９】
このように、ユニット化した隅合掌７２，平合掌７３及び妻合掌７４は、先ず、接合プレートが金具本体１に係止されることにより、フランジ１１が各合掌の一端の荷重を受けることができる。これにより、この端を持ち上げていた作業者が持ち上げ作業から開放され、続いて、この作業者は、ろくばり７５や隅ろくばり７６の結合作業を行うことができるので、各合掌を隅真束７０に効率良くかつ容易に接合することができる。また、その他の木部材、たとえば、垂木などは、順次、組み立て接合される。
なお、上記梁受接合金具は、本発明者が、特願平８−１１４１６１号において提案した技術である。
【００５０】
また、本発明の接合プレートは、金具本体が、主木部材に取り付けられている場合だけでなく、たとえば隅真束などの垂直に設けられる場合にも適用することができる。
次に、主木部材を用いず、軸ブリッジである丸型ブリッジを用いた建築用接合金具に適用した実施形態について、図面を参照して説明する。
【００５１】
図１０は、この実施形態の建築用接合金具の構造を説明するための概略図を示しており、（ａ）は側面図を、（ｂ）は要部の上面図を示している。
同図において、軸ブリッジを用いた建築用接合金具は、金具本体１と、接合プレート２ａと、金具本体１の下方に金具本体１と連結して取り付けられる、有底筒状の丸型ブリッジ２０１と、副木部材である平合掌７３などに取り付けられるアンカーブロック２０２と、丸型ブリッジ２０１とアンカーブロック２０２を連結する連結部材である連結ボルト２２３およびナット２２４と、を具備した構成としてある。
【００５２】
ここで、金具本体１は、底部に釣り軸ボルト２１６が挿入されるボルト穴１６と、押え部材５を固定するためのボルト３４が挿入される軸ボルト孔１５が穿設してある。
このボルト穴１６は、図示してないが、釣り軸ボルト２１６が、丸型ブリッジ２０１において連結ボルト２２３と当接しないように位置をずらして穿設してある。このようにすると、丸型ブリッジ２０１に連結ボルト２２３を固定する際、釣り軸ボルト２１６やナット２２４の取付作業を容易に行うことができる。
また、押え部材５は、軸ボルト用孔１５を貫通するボルト３４とナット３５を用いて取り付けてある。
【００５３】
丸型ブリッジ２０１は、図１１に示すように、金属製の円板２１２に鋼管などの金属製の筒２１４を溶接した構造としてある。なお、丸型ブリッジ２０１は、溶接構造に限定するものではない。また、丸型に限定されるものでもなく、多角形などであってもよい。
したがって、本明細書では、これらブリッジを総称して、軸ブリッジということもある。
円板２１２は、釣り軸ボルト２１６が連結ボルト２２３と当接しないように位置をずらして、釣り軸ボルト孔２１１を穿設してあり、このようにすると、丸型ブリッジ２０１と連結ボルト２２３を連結する際、ナット２２４の取付作業を容易に行うことができる。
【００５４】
また、円板２１２は、中央に仮固定用ボルト(図示せず)が挿入される仮固定用孔２１５が穿設してあり、このようにすると、屋根組みする際に使用される、垂直に設けられる主木部分材の代りである仮サポートに、丸型ブリッジ２０１を容易に仮固定することができる。
【００５５】
また、筒２１４には、副木部材が接合される方向に、連結ボルト２２３の挿入される連結ボルト孔２１３が穿設してある。
なお、連結ボルト孔２１３の穿設位置や穿設箇所は、上記構造に限定されるものではなく、副木部材の接合方向に応じて決定されることは勿論である。
【００５６】
丸型ブリッジ２０１は、円板２１２を下にして、釣り軸ボルト２１６と、釣り軸ボルト２１６の挿入されるパイプスリーブ２１７と、ナット２１８とによって、金具本体１と連結してある。なお、ナット２１８は、ナットのゆるみ止めを行うため、ダブルナット締めしてある。
このようにすると、パイプスリーブ２１７の長さだけ離れた位置に、丸型ブリッジ２０１を精度よく連結することができ、かつ、構造を軽量化することができる。また、パイプスリーブ２１７どうしの隙間が広いので、押え部材５を固定する際に、ボルト３４を容易に軸ボルト用孔１５に挿入することができ、押え部材５の固定作業を容易に行うことができる。
【００５７】
なお、図示してないが、丸型ブリッジ２０１は、円板２１２を下にして連結する上記構成に限定するものではなく、円板２１２を上にして連結する構成としてもよく、このようにすると、丸型ブリッジ２０１と連結ボルト２２３を連結する際、パイプスリーブ２１７が円板２１２の上に位置することとなり、作業スペースが広くなるので、釣り軸ボルト２１６やナット２２４の取付作業を容易に行うことができる。
【００５８】
アンカーブロック２０２は、コ型プレート２０４と、ブロック２０５と、ブロック２０５をコ型プレート２０４に固定するボルト２２１およびナット２２２とで構成してある。
【００５９】
ブロック２０５は、連結部材としての連結ボルト２２３の貫通する連結ボルト孔２５１および連結ボルト孔２５１と交わらない状態で直角方向に固定孔２５２が穿設された直六面体状のブロック２０５としてある。
なお、上記ブロック２０５は、本発明者が、特願２０００−１５３０３７号において、提案した技術である。
【００６０】
コ型プレート２０４は、ブロック２０５を内包する構造としてあり、図１２に示すように、木部材への取付孔２４３が穿設された矩形平板状の基部２４１と、基部２４１の両側に突設され、ブロック２０５を固定するボルト孔２４４が穿設された側板２４２とで構成してある。このようにすると、連結構造を単純化することができるので、製造コストを削減することができる。
【００６１】
また、側板２４２は、ブロック２０５を可動自在に挟む構成としてあり、このようにすると、連結ボルト２２３を取り付ける際、連結ボルト２２３が挿入されたブロック２０５をコ型プレート２０４に取り付け、あるいは、あらかじめ取り付けられたブロック２０５に連結ボルト２２３を挿入し、続いて、ブロック２０５を回動させながら、容易に連結ボルト２２３を丸型ブリッジ２０１の連結ボルト孔２１３に挿入することができるので、組立て作業を容易に行うことができる。
【００６２】
アンカーブロック２０２は、接合だぼ２０３，ピン２３１及びボルト２３２で、平合掌７３に取り付けられている。
接合だぼ２０３は、雌ねじ加工された筒状部材であり、ピン２３１が挿入されるピン孔が二箇所に穿設してある。
なお、この固定手段は、本発明者が、特願平８−１１４１６１号において、提案した技術であり、上記構成に限定するものではなく、たとえば、雌ねじの代りに雄ねじを加工し、さらに、ボルトの代りにナットを用いて固定する構成としてもよい。
また、合掌用接合プレート２ａなどその他の構造及び作用は、前記実施形態における建築用接合金具と同様としてある。
【産業上の利用可能性】
【００６３】
本発明は、洋式小屋の寄棟屋根において、副木部材である棟木７１，隅合掌７２，平合掌７３及び妻合掌７４を接合する場合に利用できるほか、種々木部材どうしの接合に利用することができる。
【図面の簡単な説明】
【００６４】
【図１】図１は、本発明に係る第一実施形態の建築用接合金具の金具本体の構造を説明するための概略図を示しており、（ａ）は平面図を、（ｂ）はＡ−Ａ線における断面図を示している。
【図２】図２は、本発明に係る第一実施形態の建築用接合金具の金具本体の応用例を説明するための概略図を示しており、（ａ）は平面図を、（ｂ）はＢ−Ｂ線における断面図を示している。
【図３】図３は、本発明に係る第一実施形態の建築用接合金具の接合プレートの構造を説明するための概略図を示しており、（ａ）は合掌用接合プレートの正面図を、（ｂ）は合掌用接合プレートの側面図を、（ｃ）は棟木用接合プレートの正面図を、（ｄ）は棟木用接合プレートの側面図を示している。
【図４】図４は、本発明に係る建築用接合金具の固定手段の構造を説明するための概略正面図を示している。
【図５】図５は、本発明の第一実施形態の建築用接合金具を用いた使用例における寄棟屋根の小屋組みを示す一部省略斜視図を示している。
【図６】図６は、本発明における第一実施形態の建築用接合金具の使用例を説明するための要部の概略平面図を示している。
【図７】図７は、建築用接合金具の使用例を示した図６のＣ−Ｃ線における断面図を示している。
【図８】図８は、建築用接合金具の使用例を示した図６のＥ−Ｅ線における断面図を示している。
【図９】図９は、建築用接合金具の使用例における副木部材のユニット化を説明するための概略側面図を示している。
【図１０】図１０は、本発明に係る第二実施形態の建築用接合金具の構造を説明するための概略図を示しており、（ａ）は側面図を、（ｂ）は要部の上面図を示している。
【図１１】図１１は、本発明に係る第二実施形態の建築用接合金具の丸型ブリッジの構造を説明するための概略図を示しており、（ａ）は側面図を、（ｂ）はＦ−Ｆ線における断面図を示している。
【図１２】図１２は、本発明に係る第二実施形態の建築用接合金具のコ型プレート構造を説明するための概略図を示しており、（ａ）は平面図を、（ｂ）は側面図を示している。
【図１３】図１３は、本発明の第二実施形態の建築用接合金具を使用した寄棟屋根の小屋組みを示す要部の概略斜視図を示している。
【図１４】図１４は、洋式小屋の従来工法による寄棟屋根の小屋組みを示す一部省略斜視図を示している。
【符号の説明】
【００６５】
１，１ａ  金具本体
２ａ  合掌用接合プレート
２ｂ  棟木用接合プレート
３  固定手段
４  厚板部材
５  押え部材
１０  筒状部材
１０ａ  八角形筒状部材
１１    フランジ
１２  スリット
１３  開口部
１４  ガイド用傾斜
１５  軸ボルト孔
１６  ボルト穴
２０  係止部
２１，２１ａ，２１ｂ  ボルト孔
２２ａ  凹部
２２ｂ  傾斜部
２３  下部斜辺
２４  上部斜辺
２５，４０  ボルト
３０ａ  軸部材
３０ｂ  ピン孔
３０ｃ  雌ねじ
３２  軸ボルト
３１  ピン
３３，５１  ナット
３４  ボルト
３５  ナット
４１  角ほぞ
４２  ほぞ穴
５０  座金
７０，１００  隅真束
７１，１０１  棟木
７１ａ，７４ａ  当接部
７２，１０２  隅合掌
７３，１０３  平合掌
７４，１０４  妻合掌
７５  ろくばり
７６  隅ろくばり
７７  隅ろくばり受け火打ち
７８  釣りづか
７９  方づえ
８０，８１  梁受接合金具
９２  登り梁
【図１】
2006077569.tif 000003
【図２】
2006077569.tif 000004
【図３】
2006077569.tif 000005
【図４】
2006077569.tif 000006
【図５】
2006077569.tif 000007
【図６】
2006077569.tif 000008
【図７】
2006077569.tif 000009
【図８】
2006077569.tif 000010
【図９】
2006077569.tif 000011
【図１０】
2006077569.tif 000012
【図１１】
2006077569.tif 000013
【図１２】
2006077569.tif 000014
【図１３】
2006077569.tif 000015
【図１４】
2006077569.tif 000016